(57)【要約】      （修正有）【課題】流路の中途部に分岐が設けられた熱交換ユニットにおいて、分岐部分への異物の蓄積が防止された熱交換ユニット、およびそのような熱交換ユニットを有する人体局部洗浄装置を提供する。【解決手段】熱交換ユニット１は、流体が流れる流路Ｃを内部に有する流体容器１０と、流体容器１０の内部に設けられ、流路Ｃを流れる流体を加熱する加熱手段１２と、を備える。流路Ｃは、主流路Ｃ１と、その主流路Ｃ１の中途部位の分岐部１７から分岐する分岐流路Ｃ２を有する。分岐部１７には、分岐流路Ｃ２から異物を排除する異物排除部材が設けられている。異物排除部材は、回転によって分岐流路Ｃ２内の流体の流れを促進する撹拌部材４１、または分岐部１７を覆い、分岐流路Ｃ２への異物の侵入を阻止する網状部材であるとよい。【選択図】図２
2014227698.tif 000002
【特許請求の範囲】
【請求項１】
流体が流れる流路を内部に有する流体容器と、前記流体容器の内部に設けられ、前記流路を流れる流体を加熱する加熱手段と、を備え、
前記流路は、主流路と、該主流路の中途部位の分岐部から分岐する分岐流路を有し、
前記分岐部には、前記分岐流路から異物を排除する異物排除部材が設けられていることを特徴とする熱交換ユニット。
【請求項２】
前記異物排除部材は、回転によって前記分岐流路内の流体の流れを促進する撹拌部材、または分岐部を覆い、前記分岐流路への異物の侵入を阻止する網状部材であることを特徴とする請求項１に記載の熱交換ユニット。
【請求項３】
請求項１または２に記載の熱交換ユニットによって加熱された温水を人体局部洗浄用に供給することを特徴とする人体局部洗浄装置。
【発明の詳細な説明】
【技術分野】
【０００１】
本発明は、熱交換ユニットおよび人体局部洗浄装置に関し、さらに詳しくは、流体を加熱する熱交換ユニットおよびそのような熱交換ユニットを備える人体局部洗浄装置に関する。
【背景技術】
【０００２】
人体局部洗浄装置等に備えられ、所定の温度に加熱された温水を供給する熱交換ユニットにおいて、水の流路に金属など熱伝導率の高い材料よりなる伝熱板（放熱板）を設けて流路を流れる水と接触させ、トライアック等の発熱する電子部品をその伝熱板に密着させて設置する構成が公知である。すると、流路を流れる水によってその電子部品が効果的に冷却される。例えば、特許文献１においては、放熱板（６４ａ）にトライアック（６４）が固定された構成が開示されている（特許文献１中図１８等参照）。
【先行技術文献】
【特許文献】
【０００３】
【特許文献１】特開２００１−１３２０６１号公報
【発明の概要】
【発明が解決しようとする課題】
【０００４】
流路を流れる水を均一に加熱するためには、水の流路が途中で急激に広がったり、狭まったりすることは、避ける方がよい。そのためには、伝熱板を流路に設ける場合に、伝熱板を流路の形状に合わせることが必要である。つまり、流路の断面が円形の場合、金属板等よりなる伝熱板を断面円弧状に曲げる必要がある。このように伝熱板を曲げた場合に、熱交換ユニットの本体部との間のシール性の確保が困難になる。また、伝熱板自体の作製や本体部との間のシールにコストを要することになる。
【０００５】
そこで、図８に示すように、熱交換ユニット９０において、流路Ｃ１を中途部で分岐させ、その分岐流路Ｃ２の壁面に伝熱板９１を設けることが考えらえる。すると、伝熱板９１を単純な平面として構成し、本体部との間のシール性を容易に確保することができる。しかし、この場合、分岐流路Ｃ２は袋小路状になってしまう。分岐流路Ｃ２がこのような形状を有すると、分岐流路Ｃ２内での水流Ｗが滞り、水に含まれる異物Ｉが分岐流路Ｃ２内に溜まるおそれがある。すると、流路の閉塞や、伝熱板９１上の電子部品９２に対する冷却効率の低下が起こる可能性がある。
【０００６】
本発明が解決しようとする課題は、流路の中途部に分岐が設けられた熱交換ユニットにおいて、その分岐部分への異物の蓄積が防止された熱交換ユニットを提供すること、そしてそのような熱交換ユニットを有する人体局部洗浄装置を提供することにある。
【課題を解決するための手段】
【０００７】
上記課題を解決するために、本発明にかかる熱交換ユニットは、流体が流れる流路を内部に有する流体容器と、前記流体容器の内部に設けられ、前記流路を流れる流体を加熱する加熱手段と、を備え、前記流路は、主流路と、該主流路の中途部位の分岐部から分岐する分岐流路を有し、前記分岐部には、前記分岐流路から異物を排除する異物排除部材が設けられていることを要旨とする。
【０００８】
ここで、前記異物排除部材は、回転によって前記分岐流路内の流体の流れを促進する撹拌部材、または分岐部を覆い、前記分岐流路への異物の侵入を阻止する網状部材であることが好ましい。
【０００９】
本発明にかかる人体局部洗浄装置は、上記のような熱交換ユニットによって加熱された温水を人体局部洗浄用に供給することを要旨とする。
【発明の効果】
【００１０】
上記本発明にかかる熱交換ユニットにおいては、分岐部に設けられた異物排除部材により、分岐流路内に異物が滞留しにくくなる。これにより、分岐流路内に異物が蓄積されることが防止される。そして、異物の蓄積によって、流路の閉塞が起こることが回避される。また、分岐流路の壁面に伝熱板を設け、伝熱板に密着させた発熱する電子部品を流路を流れる流体によって冷却する場合に、分岐流路内に蓄積した異物によってその冷却効率が低下することが防止される。
【００１１】
ここで、異物排除部材が、回転によって分岐流路内の流体の流れを促進する撹拌部材である場合には、異物の混入した流体が分岐流路内に滞留せずに流れるため、異物が分岐流路内に留まりにくく、効果的に分岐流路から排除される。また、異物排除部材が、分岐部を覆い、分岐流路への異物の侵入を阻止する網状部材である場合には、その網目より大きい異物が岐流路内に侵入することができず、効果的に分岐流路から排除される。
【００１２】
本発明にかかる人体局部洗浄装置は、上記のような熱交換ユニットを有するので、流路の閉塞等、熱交換ユニット内の分岐流路への異物の蓄積の影響を受けることなく、安定して快適に使用することができる。
【図面の簡単な説明】
【００１３】
【図１】本発明の第一の実施形態にかかる熱交換ユニットの外観を示す側面である。
【図２】上記実施形態にかかる熱交換ユニットのＡ−Ａ断面の概略図である。
【図３】インペラユニットを示す図であり、（ａ）は分解斜視図、（ｂ）は組み上げ後の斜視図である。
【図４】伝熱板近傍の構造を示す分解斜視図である。
【図５】第一の実施形態にかかる熱交換ユニットのＢ−Ｂ断面図である。
【図６】本発明の第二の実施形態にかかる熱交換ユニットのＡ−Ａ断面に対応する概略図である。
【図７】（ａ）メッシュユニットの斜視図である。（ｂ）第二の実施形態にかかる熱交換ユニットのＢ−Ｂ断面に相当する図である。
【図８】従来一般の分岐流路を有する熱交換ユニットの概略断面図である。
【発明を実施するための形態】
【００１４】
以下、本発明の実施形態にかかる熱交換ユニットついて図面を参照しつつ詳細に説明する。
【００１５】
図１は、本発明の第一の実施形態にかかる熱交換ユニット１の側面図であり、図２は図１のＡ−Ａ断面の概略図である。熱交換ユニットは、熱交換器や流体加熱装置とも称され、内部に流入された流体を所定温度に加熱し、外部に供給するものである。以下では、熱交換ユニットによって加熱される流体を水として説明を行う。
【００１６】
本実施形態にかかる熱交換ユニット１においては、通電により水を加熱できるヒータ（加熱手段）１２が流体容器１０の中に挿入されている。流体容器１０は、公共水道等の水源から水が流入する流入口１３と温水が流出する流出口（不図示）とを備え、水源から流入口１３を介して供給された低温の水をヒータ１２により加熱し、連続的に温水を流出口から外部に供給することができる。
【００１７】
ヒータ１２は電力により水を加熱することができる絶縁性の高いヒータである。熱交換ユニット１全体を小さく設計すること等を考慮すると、内壁面及び外壁面の両方に加熱部を有する中空円筒形のセラミックヒータを例示することができる。この場合、ヒータ１２の上端の開口部が流入口１３となり、水が水源から流入口１３を通ってヒータ１２の円筒体の内部に流入する。ヒータ１２の出力は、入力される電流量を調整することで制御される。このヒータ１２への入力電流量の調整は、流体容器１０の外側に設けられたトライアック３０によって行われる。
【００１８】
流体容器１０は、底面１０ａが閉塞された中空筒状のボディ部１５と、ボディ部１５の中途部から突出して形成された中空の枝部１６を有する。ボディ部１５には、ヒータ１２が収容されている。ヒータ１２は、円筒形の加熱部の中心軸が流体容器１０の長手方向軸に平行になるように、流体容器１０に取り付けられている。ヒータ１２の先端部は流体容器１０の底面１０ａには接触していない。
【００１９】
枝部１６は、先端の開口部１６ａを伝熱板２０によって閉塞されている。つまり、伝熱板２０が流体容器１０内を流れる水と直接接触する。伝熱板２０は、高い熱伝導率を有する板材よりなる。伝熱板２０の材質としては、銅をはじめとする金属を例示することができる。伝熱板２０の高い熱伝導率のために、伝熱板２０の内側面２０ａと外側面２０ｂの間では、熱伝達が起こる。
【００２０】
伝熱板２０の外側面２０ｂには、ヒータ１２への入力電流量を調整するトライアック３０が密着して設けられている。つまり、伝熱板２０の内側面２０ａと接触する水と、トライアック３０が、伝熱板２０を介して熱的に接触した状態となる。
【００２１】
流体容器１０のボディ部１５から枝部１６が分岐する基部に当たる分岐部１７の近傍には、撹拌部材であるインペラ（羽根車）４１が配設されている。インペラ４１は、水流を受けることで、回転軸４２を中心に、ボディ部１５から枝部１６が突出している方向と垂直な面内、つまり図２の紙面に垂直な面内で回転することができる。インペラ４１の回転軸４２は、枝部１６の中心軸上に配置されている。インペラ４１の具体的な構造と流体容器１０への固定方法については、後述する。
【００２２】
流体容器１０の内部には水が流通する流路Ｃが形成されている。流路Ｃは、ボディ部１５の側壁面１５ａおよびヒータ１２によって区画されて形成された主流路Ｃ１と、主流路Ｃ１の中途に位置する分岐部１７から分岐して、流体容器１０の枝部１６に形成された分岐流路Ｃ２よりなる。
【００２３】
主流路Ｃ１は、ヒータ１２の中空部内側の領域と、ヒータ１２の外側面１２ａとボディ部１５の側壁面１５ａの間の領域とを結んでなる。つまり、主流路Ｃ１を流れる水流Ｗ１は、図２中に矢印で示したように、ヒータ１２端部の流入口１３から、ヒータ１２の円筒体内をヒータ１２の軸方向に沿って流れ、ヒータ１２先端部に至る。次に、水流Ｗ１は、ヒータ１２の先端部からヒータ１２の外側面１２ａとボディ部１５の側壁面１５ａの間の空間に向かい、ボディ部１５の長手方向に沿って、流体容器１０の底面１０ａから、流出口へと流れる。水はこの主流路Ｃ１を流れる間に、ヒータ１２との接触によって加熱される。
【００２４】
ヒータ１２の外側面１２ａとボディ部１５の側壁面１５ａの間を流れる水流Ｗ１の一部は、分岐部１７において分岐し、分岐流路Ｃ２を流れる水流Ｗ２となる。分岐流路Ｃ２を流れた水流Ｗ２は、分岐流路Ｃ２を出ると、再び主流路Ｃ１を流れる水流Ｗ１と合流する。
【００２５】
この際、水流Ｗ１を受けてインペラ４１が回転し、水を撹拌することで、主流路Ｃ１から分岐流路Ｃ２に入り、再び分岐流路Ｃ２を出て主流路Ｃ１に合流する水の流れが作り出される。つまり、分岐流路Ｃ２内での水流Ｗ２が促進される。
【００２６】
熱交換ユニット１は、上記各部材に加え、加熱された温水の温度を検出する温度センサや、水の流入および／または流出を調節するバルブ、水流計、各種安全装置等を適宜備えることができる。
【００２７】
上記のように、分岐流路Ｃ２の壁面の一部が伝熱板２０によって構成され、分岐流路Ｃ２を流れる水に直接接触する伝熱板２０に密着してトライアック３０が設けられていることで、トライアック３０と分岐流路Ｃ２を流れる水とが伝熱板２０を介して熱的に接触した状態となる。従って、トライアック３０は動作時に高温にまで発熱する電子部品であるが、分岐流路Ｃ２を流れる水によって、発熱しているトライアック３０が冷却される。このようにトライアック３０を冷却することで、トライアック３０を継続して安定に動作させることができる。一般に、トライアックは、動作時に容易に１００℃前後まで加熱される。よって、分岐流路Ｃ２を流れる水はヒータ１２によって加熱されているものの、通常はトライアック３０よりも低温であり、分岐流路Ｃ２を流れる水を使用してトライアック３０の冷却を行うことができる。特に、熱交換ユニット１が後述するように人体局部洗浄装置に使用される場合には、熱交換ユニット１が供給する温水の温度の上限は、人体に接触しても過度に熱いと感じられない温度（例えば４０℃程度）であるので、分岐流路Ｃ２を流れる水の温度はトライアック３０の発熱温度に比べてはるかに低く、トライアック３０を効率的に冷却することができる。
【００２８】
ここで、伝熱板２０を、流体容器１０のボディ部１５から分岐して形成された枝部１６の先端の開口部１６ａを閉塞して設けることで、平板状の伝熱板２０を用いて分岐流路Ｃ２の壁面の一部を構成し、伝熱板２０を分岐流路Ｃ２を流れる水と直接接触させることが可能となっている。伝熱板を主流路Ｃ１を構成するボディ部１５に配置するとすれば、筒状のボディ部１５の形状に合わせて伝熱板２０を曲げておく必要がある。平板状の伝熱板２０を用いることにより、曲げが施された伝熱板を用いる場合よりも、流体容器１０との間に、高いシール性を比較的容易に確保することができる。また、伝熱板２０自体の加工やシールに要するコストも抑制することができる。
【００２９】
このように平板状の伝熱板２０を設けるために形成された分岐流路Ｃ２は、分岐部１７から流入した水流Ｗ２が同じ分岐部１７から出ていく袋小路の形状をとっている。このような袋小路状の流路においては、水流が停滞しやすい。しかし、上記熱交換ユニット１においては、分岐部１７の中央にインペラ４１が設けられており、主流路Ｃ１を流れる水流Ｗ１を受けて回転して分岐流路Ｃ２中の水を撹拌する。これにより、分岐流路Ｃ２を流れる水流Ｗ２を促進することで、水流Ｗ２が停滞することが防止されている。
【００３０】
公共水道から取得された水には、ゴミ等の不純物やスケール（析出物）といった異物がしばしば混入しており、熱交換ユニット１を流れる水の中にも、このような異物Ｉが存在する。分岐流路Ｃ２の中で水流Ｗ２が停滞すると、水流Ｗ２に含まれていた異物Ｉが分岐流路Ｃ２中に滞留し、枝部１６の壁面や伝熱板２０の上に蓄積されることがある。このように異物Ｉが分岐流路Ｃ２の中に蓄積されると、大きな塊に成長して熱交換ユニット１内やその下流の配管を閉塞させる可能性がある。また、伝熱板２０と水との間の熱伝達を妨げ、トライアック３０に対する冷却効率を低下させる可能性がある。しかし、上記熱交換ユニット１においては、分岐流路Ｃ２に入って再度出ていく水流Ｗ２がインペラ４１によって促進されているため、水流Ｗ２に混入した異物Ｉも、この水流に乗って分岐流路Ｃ２内から運び出され、分岐流路Ｃ２内に滞留しにくくなっている。つまり、インペラ４１の効果によって、分岐流路Ｃ２内における異物Ｉの蓄積が防止され、そのような異物Ｉによる流路の閉塞およびトライアック３０の冷却効果の低下が回避されている。
【００３１】
さらに、インペラ４１による分岐流路Ｃ２内の水流Ｗ２の促進は、異物Ｉの分岐流路Ｃ２内への滞留を防止することのみならず、伝熱板２０を介した熱交換を促進することにも効果を有する。つまり、インペラ４１が回転することにより、主流路Ｃ１を流れる水流Ｗ１の一部が分岐流路Ｃ２に引き込まれ、伝熱板２０に当たって、主流路Ｃ１に戻るという水の流れが作り出され、伝熱板２０に接触する水が常時入れ替わり、トライアック３０との間で熱交換を受ける。これによっても、高いトライアック３０の冷却効果を得ることができる。
【００３２】
次に、図３〜５を参照しながら、具体的なインペラ４１の構造と、分岐流路Ｃ２内への取付け方法の一例について説明する。図３に示すように、インペラ４１は、インペラユニット４０の形で熱交換ユニット１に取り付けられている。インペラユニット４０は、インペラ４１と、ピン（回転軸）４２と、ケース４３とを有してなる。インペラ４１は、複数の羽根を有し、中央部にピン４２の外径より大きい内径を有するピン挿通孔４１ａを備えている。ピン４２がピン挿通孔４１ａに挿通され、さらにケース４３の底面４３ａに形成されたピン固定用凹部４３ｂに圧入される。これにより、インペラ４１がピン４２を中心に回転可能な状態で、ケース４３に収容され、固定される。ケース４３は、円筒の一部を切り欠いたような形状を有し、全周にわたって側壁面が形成された全周包囲部４３ｃと、側壁面が形成されていない領域を有する部分露出部４３ｄとを備える。部分露出部４３ｄの端面４３ｅは半円形状を有し、この端面４３ｅと全周包囲部４３ｃの間が端縁４３ｆによって滑らかに結ばれている。ケース４３の全長は、インペラユニット４０を流体容器１０の枝部１６に取り付けた際に、枝部１６の端部の開口部１６ａからケース４３が突出せず、ケース４３と伝熱板２０の間に水が流通できる隙間を有するように規定されている。また、このうち部分露出部４３ｄの長さ（ｈ１）は、後述するように、流体容器１０のボディ部１５と枝部１６との間の接合部に形成される高さの差（ｈ２）と略等しくなるように規定されている。ケース４３に取り付けられたインペラ４１は、羽根の一部が、部分露出部４３ｄから露出した状態となっている。
【００３３】
流体容器１０の枝部１６は、上記のような形状を有するインペラユニット４０を安定に支持し、位置決めすることができる形状を有する。具体的には、枝部１６は円筒の一部が切り欠かれたような形状を有し、その内壁面は、インペラユニット４０のケース４３の外壁面と略同じ（同じかわずかにそれよりも大きい）形状となっている（図５参照）。そして、部分露出部４３ｄの端面４３ｅに相当する半円形の基部端面１６ｂが、ボディ部１５の壁面部１５ａと一体に形成された壁面によって閉塞されている。枝部１６は、全周包囲部４３ｃに相当する円筒形の部分と基部端面１６ｂの間の接合部１６ｄ（端縁４３ｆに相当）で、ボディ部１５と接合されている。
【００３４】
インペラユニット４０は、図４に示すようにして、流体容器１０の枝部１６に取り付けられる。つまり、略円筒形に形成された枝部１６の開口部１６ａから、インペラユニット４０を、部分露出部４３ｄの側から圧入する。インペラユニット４０の挿入は、ケース４３の端面４３ｅが、枝部１６の基部端面１６ｂの壁面に突き当たるところまで行う。そして、シール部材（Ｏリング）２１を介して、枝部１６の開口部１６ａを、トライアック３０を固定した伝熱板２０によって覆い、さらにねじを使用して伝熱板２０を枝部１６に固定すればよい。
【００３５】
このようにしてインペラユニット４０および伝熱板２０を取り付けた状態の熱交換ユニット１のＢ−Ｂ断面図を図５に示す。流体容器１０の枝部１６の内壁面が、インペラユニット４０のケース４３の外壁面と略同じ形状を有することにより、枝部１６において、インペラユニット４０が位置決めされ、固定されている。特に、枝部１６の内径ｄ１とケース４３の外径が略等しく、インペラユニット４０が枝部１６に圧入されていることにより、インペラユニット４０が枝部１６の中で固定されている。そして、枝部１６とボディ部１５の間の接合部１６ｄ（つまり分岐部１７）の両端部の高さの差ｈ２が、インペラユニット４０のケース４３における部分露出部４３ｄの長さｈ１と略等しいことにより、部分露出部４３ｄから露出したインペラ４１の羽根の一部が、ボディ部１５に形成された主流路Ｃ１中に飛び出し、かつヒータ１２に接触しない状態で、インペラユニット４０が位置決めされている。
【００３６】
このように、インペラ４１をケース４３中に収容したインペラユニット４０を用いることで、簡素な構成により、インペラ４１を軸回転可能に主流路Ｃ１と分岐流路Ｃ２の間の分岐部１７に配置することができる。そして、インペラ４１の羽根の一部が、主流路Ｃ１中に飛び出していることで、主流路Ｃ１を流れる水流Ｗ１をこの部分に受けてインペラ４１がよく回転され、分岐流路Ｃ２内の水流Ｗ２が効果的に促進される。
【００３７】
なお、インペラ４１を回転可能に流体容器１０中に取り付ける方法は、上記のようにケース４３を有するインペラユニット４０を用いる方法に限られない。例えば、インペラ４１の回転軸４２を伝熱板２０の内側面２０ａに固定する方法が考えられる。
【００３８】
以上で説明した本発明の第一の実施形態にかかる熱交換ユニット１においては、インペラ４１のような撹拌部材を用いて分岐流路Ｃ２内の水流Ｗ２を促進して、異物Ｉが分岐流路Ｃ２内に侵入してもそれを分岐流路Ｃ２内に滞留させないことにより、分岐流路Ｃ２から異物Ｉを排除するものであった。これに対し、他の原理に基づいて分岐流路Ｃ２から異物Ｉを排除する異物排除部材として、分岐流路Ｃ２に異物Ｉを侵入させないようにする網状部材が挙げられる。
【００３９】
以下に、網状部材を異物排除部材として用いた第二の実施形態にかかる熱交換ユニット５について説明する。第一の実施形態にかかる熱交換ユニット１と共通する構成については、説明を省略する。
【００４０】
第二の実施形態にかかる熱交換ユニット５は、第一の実施形態にかかる熱交換ユニット１と同様に、ボディ部１５と枝部１６よりなる流体容器１０を備え、それぞれの内部に、主流路Ｃ１と、分岐部１７において主流路Ｃ１から分岐した分岐流路Ｃ２を有してなる。そして、インペラ４１のかわりに、メッシュ（網状部材）５１を有する。
【００４１】
メッシュ５１は、水は通すが、想定される異物Ｉは通さないメッシュサイズ（網目の大きさ）を有し、主流路Ｃ１と分岐流路Ｃ２の間の分岐部１７を覆って設けられる。これにより、主流路Ｃ１を流れる異物Ｉは、水流Ｗ２とともに分岐流路Ｃ２に侵入することができない。その結果、分岐流路Ｃ２内での異物Ｉの蓄積、およびそれによる流路の閉塞とトライアック３０に対する冷却効率の低下が防止される。
【００４２】
図７に示すように、メッシュ５１も、インペラユニット４０と類似したメッシュユニット５０を用いて、流体容器１０中で固定および位置決めすることができる。図７（ａ）に示すメッシュユニット５０は、円筒形のケース５２の一部を切り欠いて形成した開口部５２ｂをメッシュ５１で覆った構成を有する。そして、ケース５２の開口部５２ｂが形成された側の端部には、半円形の端面５２ａが形成されている。反対側の端部は開放されている。メッシュ５１は、インサート成形等によって、ケース５２と一体に形成されたものであってもよいし、ケース５２とは別体で形成して、接着等によってケース５２に固定したものであってもよい。また、端面５２ａもメッシュより構成してもよい。
【００４３】
第一の実施形態にかかる熱交換ユニット１の場合と同様に、ケース５２の外壁面と流体容器１０の枝部の内壁面は、略同じ形状に形成されている。その結果、図７（ｂ）のように、ケース５２の端面５２ａが枝部１６の基部端面１６ｂに当接するまで、枝部１６にメッシュユニット５０を挿入すると、流体容器１０のボディ部１５に形成された主流路Ｃ１と枝部１６に形成された分岐流路Ｃ２の間の分岐部１７全体を覆って、メッシュ５１が配置された状態で、メッシュユニット５０が位置決めされる。
【００４４】
なお、メッシュユニット５０を用いる以外の方法で、メッシュ５１を主流路Ｃ１と分岐流路Ｃ２の間の分岐部１７に固定することもできる。例えば、インサート成形を用いて、メッシュ５１を流体容器１０と一体に形成する方法が考えられる。
【００４５】
以上のように、撹拌部材を用いて分岐流路Ｃ２中の水流Ｗ２を促進する方法および網状部材を用いて分岐流路Ｃ２に異物Ｉを入れないようにする方法のいずれを用いても、分岐流路Ｃ２中に異物Ｉが蓄積され、流路の閉塞やトライアック３０に対する冷却効率の低下を引き起こすことが防止される。いずれの異物排除部材を使用するかは、主流路Ｃ１や分岐流路Ｃ２の形状および配置、想定される異物Ｉの種類や大きさ等を考慮して適宜選択すればよい。撹拌部材を用いる構成は、網状部材では除去しきれないような粒径の非常に小さい異物Ｉも排除できるという点や、分岐流路Ｃ２内に侵入した粒径の小さい異物Ｉが凝集等によって大径化し、分岐流路Ｃ２内に蓄積されることも効果的に防止できる点、異物排除部材の定期的な交換を要しない点、そして上述したように、水流Ｗ２の促進によって伝熱板２０を介した熱交換を促進できるという副次的な効果を有する点などにおいて、網状部材を用いる構成よりも優れている。一方、網状部材を用いる構成は、分岐流路Ｃ２内に異物Ｉが蓄積することだけでなく、一時的に滞留することも防止できる点、構成が簡素であり、安価で形成できる点、分岐流路Ｃ２が狭い場合にも分岐部１７に配置しやすい点などにおいて、撹拌部材を用いる構成よりも優れている。
【００４６】
最後に、本発明の実施形態にかかる人体局部洗浄装置は、上記いずれかの実施形態にかかる熱交換ユニット１，５を備えてなる。人体局部洗浄装置は、便座に備えられ、ノズルから温水を噴出することで、おしり洗浄やいわゆるビデ洗浄を行う。熱交換ユニット１，５は、所定の温度に加熱した温水をノズルからの噴出用に供給する。
【００４７】
上記のように、熱交換ユニット１，５に備えられるトライアック３０が分岐流路Ｃ２を流れる水によって冷却されることで、安定に動作する。そして、インペラ４１やメッシュ５１のような異物排除部材の効果により、分岐流路Ｃ２の内部に異物Ｉが蓄積されることが防止され、異物Ｉによる流路の閉塞やトライアック３０の冷却効率の低下が起こりにくくなる。これらの結果として、熱交換ユニット１，５が、安定に、かつ長寿命で運転される。そして、使用者は人体局部洗浄装置を長期にわたって快適かつ安全に使用することができる。
【００４８】
以上、本発明の実施形態について詳細に説明したが、本発明は上記実施形態に何ら限定されるものではなく、本発明の要旨を逸脱しない範囲で種々の改変が可能である。例えば、伝熱板２０上に設けられる電子部品は、トライアック３０のみに限られず、他種の発熱する電子部品を設け、分岐流路Ｃ２を流れる水によって冷却することもできる。また、伝熱板２０上には、発熱する電子部品だけでなく、温度ヒューズ等、流路Ｃを流れる水の温度を検知して作動する電子部品を設けてもよい。さらに、上記実施形態においては、平板状の伝熱板２０を設けるために分岐流路Ｃ２が形成されたが、必ずしも分岐流路Ｃ２は伝熱板を設けるためのものに限られず、各種センサを流路Ｃ内に配設する等、他の目的で形成され、伝熱板を有さない分岐流路Ｃ２の分岐部１７に、上記実施形態におけるインペラ４１やメッシュ５１のような異物排除部材の構成を適用することができる。
【符号の説明】
【００４９】
１，５        熱交換ユニット
１０          流体容器
１２          ヒータ
１５          ボディ部
１５ａ        （ボディ部の）側壁面
１６          枝部
１６ａ        （枝部の）開口部
１６ｂ        （枝部の）基部端面
１７          分岐部
２０          伝熱板
２０ａ        （伝熱板の）内側面
２０ｂ        （伝熱板の）外側面
３０          トライアック
４０          インペラユニット
４１          インペラ
４２          ピン（回転軸）
４３          ケース
４３ｃ        全周包囲部
４３ｄ        部分露出部
５０          メッシュユニット
５１          メッシュ
５２          ケース
５２ａ        端面
Ｃ            流路
Ｃ１          主流路
Ｃ２          分岐流路
Ｗ１          （主流路の）水流
Ｗ２          （分岐流路の）水流
【図１】
2014227698.tif 000003
【図２】
2014227698.tif 000004
【図３】
2014227698.tif 000005
【図４】
2014227698.tif 000006
【図５】
2014227698.tif 000007
【図６】
2014227698.tif 000008
【図７】
2014227698.tif 000009
【図８】
2014227698.tif 000010